【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
電子ファイルの第１および第２のバージョンを管理するための方法であって、
第１のソフトウェアアプリケーションを使用して、第１のコンピュータ上の前記第１のバージョンを前記第２のバージョンと同期するために同期イベントを開始するステップと、
アプリケーションプログラムインタフェースに前記第１および第２のバージョンへアクセスさせるステップと、
前記第１および第２のバージョンのそれぞれに関連付けられた情報を比較し、結果を生成するステップと、
前記第１のソフトウェアアプリケーションに前記比較の前記結果をレポートするステップと、
前記結果に応答して、第２のソフトウェアアプリケーションに、該第２のソフトウェアアプリケーションの機能に従ってユーザインタフェースを生成させるステップであって、前記電子ファイルが前記第２のソフトウェアアプリケーションに関連付けられているステップと、
前記第２のソフトウェアアプリケーションを使用して、前記電子ファイルの前記第１および第２のバージョンを開くステップと、
前記ユーザインタフェースを使用して、同期オプションを提示するステップであって、該同期オプションは前記第２のソフトウェアアプリケーションによって提供されるステップと、
前記ユーザインタフェースを経由してユーザ入力を受け取るステップと、
前記第２のソフトウェアアプリケーションを使用して、前記ユーザインタフェースを経由して受け取った前記ユーザ入力に従い、前記第１および第２のバージョンを自動的に同期するステップと
を備えることを特徴とする方法。
【請求項２】
前記第１および第２のソフトウェアアプリケーションは同じアプリケーションである
ことを特徴とする請求項１に記載の方法。
【請求項３】
前記比較するステップの前記結果は、前記第１および第２のバージョンの同期ステータスである
ことを特徴とする請求項１に記載の方法。
【請求項４】
前記第１のバージョンが第１のコンピュータに記憶されており、前記第２のバージョンが第２のコンピュータに記憶されており、前記第１および第２のコンピュータが通信ネットワークによって動作可能に接続されている
ことを特徴とする請求項１に記載の方法。
【請求項５】
前記第１および第２のバージョンを同期する前記ステップは、前記電子ファイルの前記第１のバージョンを前記電子ファイルの前記第２のバージョンで上書きするステップを含む
ことを特徴とする請求項１に記載の方法。
【請求項６】
前記第１および第２のバージョンを同期する前記ステップは、前記第１および第２のバージョンを前記電子ファイルの第３のバージョンで上書きするステップを含み、前記第３のバージョンは、前記電子ファイルの前記第１のバージョンの一部分を含む
ことを特徴とする請求項１に記載の方法。
【請求項７】
前記第１および第２のバージョンを同期する前記ステップは、前記第１および第２のバージョンを前記電子ファイルの第３のバージョンで上書きするステップを含み、前記第３のバージョンは、前記電子ファイルの前記第２のバージョンの一部分を含む
ことを特徴とする請求項１に記載の方法。
【請求項８】
前記第１および第２のバージョンを同期する前記ステップは、前記ユーザインタフェースから受け取った入力に従って前記第１および第２のバージョンを第３のバージョンにマージし、前記第１および第２のバージョンを前記第３のバージョンで上書きするステップを含む
ことを特徴とする請求項１に記載の方法。
【請求項９】
同期オプションを提示する前記ステップは、前記第１および第２のバージョンを前記ユーザインタフェース内で表示するステップをさらに含む
ことを特徴とする請求項１に記載の方法。
【請求項１０】
前記第１および第２のバージョンを同期する前記ステップは、ユーザ入力に従って前記第１および第２のバージョンを上書きするステップを含む
ことを特徴とする請求項１に記載の方法。
【請求項１１】
前記同期イベントを開始する前記ステップは、前記第１のソフトウェアアプリケーションが、前記電子ファイルの前記第２のバージョンを示す前記電子ファイルの前記第１のバージョンに関連付けられた情報を検出したことに応じて発生する
ことを特徴とする請求項１に記載の方法。
【請求項１２】
前記同期イベントを開始する前記ステップは、前記第１のソフトウェアアプリケーションが前記電子ファイルの前記第１のバージョンを開いたことに応じて発生する
ことを特徴とする請求項１に記載の方法。
【請求項１３】
前記同期イベントを開始する前記ステップは、前記第１のソフトウェアアプリケーションが前記第１のコンピュータの記憶デバイスに前記電子ファイルの前記第１のバージョンを保存したことに応じて発生する
ことを特徴とする請求項１に記載の方法。
【請求項１４】
前記同期イベントを開始する前記ステップは、前記第１のソフトウェアアプリケーションが前記第１バージョンおよび第２のバージョンを認識したことに応じて発生する
ことを特徴とする請求項１に記載の方法。
【請求項１５】
電子ファイルの第１および第２のバージョンを管理するための方法であって、
前記第１および第２のバージョンにアクセスし比較するために、第１の要求を受け取るステップと、
前記第１および第２のバージョンにアクセスするステップと、
前記第１および第２のバージョンのそれぞれに関連付けられた情報を比較するステップと、
前記第１および第２のバージョンが同期されているかどうか判定し、結果を生成するステップと、
前記結果に応答して、前記電子ファイルに関連付けられているソフトウェアアプリケーションを使用して、前記電子ファイルの前記第１および第２のバージョンを開くステップと、
ユーザインタフェースを使用して、同期オプションを提示するステップと、
前記ユーザインタフェースを経由してユーザ入力を受け取るステップと、
前記第２のソフトウェアアプリケーションを使用して、前記ユーザインタフェースを経由して受け取った前記ユーザ入力に従い、前記第１および第２のバージョンを自動的に上書きするステップと
を備えることを特徴とする方法。
【請求項１６】
要求を受け取る前記ステップは、前記第１および第２のバージョンに対応する識別情報を受け取るステップをさらに含む
ことを特徴とする請求項１５に記載の方法。
【請求項１７】
前記第１のバージョンが第１のコンピュータに記憶されており、前記第２のバージョンが第２のコンピュータに記憶されており、前記第１および第２のコンピュータが通信ネットワークによって動作可能に接続されている
ことを特徴とする請求項１５に記載の方法。
【請求項１８】
電子ファイルの第１および第２のバージョンを管理するための方法を実行するコンピュータ実行可能命令を有するコンピュータ読み取り可能な記録媒体であって、前記方法は、
第１のソフトウェアアプリケーションを使用して、第１のコンピュータ上の前記第１のバージョンを前記第２のバージョンと同期するために同期イベントを開始するステップと、
アプリケーションプログラムインタフェースに前記第１および第２のバージョンへアクセスさせるステップと、
前記第１および第２のバージョンのそれぞれに関連付けられた情報を比較し、結果を生成するステップと、
前記第１のソフトウェアアプリケーションに前記比較の前記結果をレポートするステップと、
前記結果に応答して、第２のソフトウェアアプリケーションに、前記第２のソフトウェアアプリケーションの機能に従ってユーザインタフェースを生成させるステップであって、前記電子ファイルが前記第２のソフトウェアアプリケーションに関連付けられているステップと、
前記第２のソフトウェアアプリケーションを使用して、前記電子ファイルの前記第１および第２のバージョンを開くステップと、
前記ユーザインタフェースを使用して、同期オプションを提示するステップであって、該同期オプションは前記第２のソフトウェアアプリケーションによって提供されるステップと、
前記ユーザインタフェースを経由してユーザ入力を受け取るステップと、
前記第２のソフトウェアアプリケーションを使用して、前記ユーザインタフェースを経由して受け取った前記ユーザ入力に従い、前記第１および第２のバージョンを自動的に同期するステップと
を備えることを特徴とするコンピュータ読み取り可能な記録媒体。
【請求項１９】
前記第１および第２のソフトウェアアプリケーションは同じアプリケーションである
ことを特徴とする請求項１８に記載のコンピュータ読み取り可能な記録媒体。
【請求項２０】
前記比較するステップの前記結果は、前記第１および第２のバージョンの同期ステータスである
ことを特徴とする請求項１８に記載のコンピュータ読み取り可能な記録媒体。
【請求項２１】
前記第１のバージョンが第１のコンピュータに記憶されており、前記第２のバージョンが第２のコンピュータに記憶されており、前記第１および第２のコンピュータが通信ネットワークによって動作可能に接続されている
ことを特徴とする請求項１８に記載のコンピュータ読み取り可能な記録媒体。
【請求項２２】
前記第１および第２のバージョンを同期する前記ステップは、前記電子ファイルの前記第１のバージョンを前記電子ファイルの前記第２のバージョンで上書きするステップを含む
ことを特徴とする請求項１８に記載のコンピュータ読み取り可能な記録媒体。
【請求項２３】
前記第１および第２のバージョンを同期する前記ステップは、前記第１および第２のバージョンを前記電子ファイルの第３のバージョンで上書きするステップを含み、前記第３のバージョンは、前記電子ファイルの前記第１のバージョンの一部分を含む
ことを特徴とする請求項１８に記載のコンピュータ読み取り可能な記録媒体。
【請求項２４】
前記第１および第２のバージョンを同期する前記ステップは、前記第１および第２のバージョンを前記電子ファイルの第３のバージョンで上書きするステップを含み、前記第３のバージョンは、前記電子ファイルの前記第２のバージョンの一部分を含む
ことを特徴とする請求項１８に記載のコンピュータ読み取り可能な記録媒体。
【請求項２５】
前記第１および第２のバージョンを同期する前記ステップは、前記ユーザインタフェースから受け取った入力に従って前記第１および第２のバージョンを第３のバージョンにマージし、前記第１および第２のバージョンを前記第３のバージョンで上書きするステップを含む
ことを特徴とする請求項１８に記載のコンピュータ読み取り可能な記録媒体。
【請求項２６】
同期オプションを提示する前記ステップは、前記第１および第２のバージョンを前記ユーザインタフェース内で表示するステップをさらに含む
ことを特徴とする請求項１８に記載のコンピュータ読み取り可能な記録媒体。
【請求項２７】
前記第１および第２のバージョンを同期する前記ステップは、ユーザ入力に従って前記第１および第２のバージョンを上書きするステップを含む
ことを特徴とする請求項１８に記載のコンピュータ読み取り可能な記録媒体。
【請求項２８】
前記同期イベントを開始する前記ステップは、前記第１のソフトウェアアプリケーションが、前記電子ファイルの前記第２のバージョンを示す前記電子ファイルの前記第１のバージョンに関連付けられた情報を検出したことに応じて発生する
ことを特徴とする請求項１８に記載のコンピュータ読み取り可能な記録媒体。
【請求項２９】
前記同期イベントを開始する前記ステップは、前記第１のソフトウェアアプリケーションが前記電子ファイルの前記第１のバージョンを開いたことに応じて発生する
ことを特徴とする請求項１８に記載の方法。
【請求項３０】
前記同期イベントを開始する前記ステップは、前記第１のソフトウェアアプリケーションが前記第１のコンピュータの記憶デバイスに前記電子ファイルの前記第１のバージョンを保存したことに応じて発生する
ことを特徴とする請求項１８に記載のコンピュータ読み取り可能な記録媒体。
【請求項３１】
前記同期イベントを開始する前記ステップは、前記第１のソフトウェアアプリケーションが前記第１バージョンおよび第２のバージョンを認識したことに応じて発生する
ことを特徴とする請求項１８に記載のコンピュータ読み取り可能な記録媒体。
【請求項３２】
電子ファイルの第１および第２のバージョンを管理するための方法を実行するコンピュータ実行可能命令を有するコンピュータ読み取り可能な記録媒体であって、前記方法は、
前記第１および第２のバージョンにアクセスし比較するために、第１の要求を受け取るステップと、
前記第１および第２のバージョンにアクセスするステップと、
前記第１および第２のバージョンのそれぞれに関連付けられた情報を比較するステップと、
前記第１および第２のバージョンが同期されているかどうか判定し、結果を生成するステップと、
前記結果に応答して、前記電子ファイルに関連付けられているソフトウェアアプリケーションを使用して、前記電子ファイルの前記第１および第２のバージョンを開くステップと、
ユーザインタフェースを使用して、同期オプションを提示するステップと、
前記ユーザインタフェースを経由してユーザ入力を受け取るステップと、
前記第２のソフトウェアアプリケーションを使用して、前記ユーザインタフェースを経由して受け取った前記ユーザ入力に従い、前記第１および第２のバージョンを自動的に上書きするステップと
を備えることを特徴とするコンピュータ読み取り可能な記録媒体。
【請求項３３】
要求を受け取る前記ステップは、前記第１および第２のバージョンに対応する識別情報を受け取るステップをさらに含む
ことを特徴とする請求項３２に記載のコンピュータ読み取り可能な記録媒体。
【請求項３４】
前記第１のバージョンが第１のコンピュータに記憶されており、前記第２のバージョンが第２のコンピュータに記憶されており、前記第１および第２のコンピュータが通信ネットワークによって動作可能に接続されている
ことを特徴とする請求項３２に記載のコンピュータ読み取り可能な記録媒体。